(57)【特許請求の範囲】
【請求項１】
側面視で、直線状の上縁部１ｐを有する固定接点部１ａと、凸形状部１ｒを形成したバネ接点部１ｂとを備え、凸形状部１ｒには、斜めの斜状面１ｓ，１ｔと、斜状面１ｓ，１ｔが交わる下頂部１ｑとが形成されていて、上縁部１ｐと凸形状部１ｒの下頂部１ｑとの間に所定の初期バネクリアランスａを設定して、固定接点部１ａとバネ接点部１ｂとの間に、固定接点部１ａの長手方向Ａから雄端子２を挿入したときに、雄端子２の一面２ａが固定接点部１ａの上縁部１ｐに接触するとともに、バネ接点部１ｂがバネ力に抗して押し開かれながら雄端子２の他面２ｂが凸形状部１ｒの下頂部１ｑに接触するようになった雌端子１において、
上記雌端子１は、上下方向Ｂに傾動可能に設けられる一方、固定接点部１ａの上縁部１ｐよりも挿入側の手前に、略Ｖ字形状の斜面１ｃ，１ｄを有する凹部１ｅを形成し、この凹部１ｅの挿入方向の手前の斜面１ｃとこれに対向する凸形状部１ｒの斜状面１ｓとの間、および凹部１ｅの挿入方向の奥の斜面１ｄとこれに対向する凸形状部１ｒの斜状面１ｔとの間が、初期バネクリアランスａと雄端子２の挿入後のバネクリアランスｃとの略中間程度のバネクリアランスｂに設定して、
雄端子２の挿入直後に、雄端子２の他面２ｂで押し開き始められるバネ接点部１ｂの反力で、雄端子２の一面２ａに凹部１ｅの手前の斜面１ｃが接触するように、雌端子１全体が傾動し、さらに雄端子２の挿入で、雄端子２の先端２ｃが凹部１ｅの奥の斜面１ｄに当接して、雌端子１全体が元に傾動しながら、雄端子２の一面２ａが、凹部１ｅの奥の斜面１ｄよりも奥の固定接点部１ａの上縁部１ｐに接触し始め、つづく雄端子２の挿入で、雌端子１全体が完全に元に傾動されて、雄端子２の一面２ａが固定接点部１ａの上縁部１ｐに完全に接触するようにしたことを特徴とする雌端子の構造。
【請求項２】
上記雌端子２は、コネクタ５Ａのハウジング５ｂ内で傾動可能に保持されて、固定接点部１ａとバネ接点部１ｂは、雄端子２の挿入方向に移動しないように支持されると共に、固定接点部１ａは、可撓部１ｉを介して支持されている請求項１に記載の雌端子の構造。
【発明の詳細な説明】
【０００１】
【発明の属する技術分野】
本発明は、挿入作業が簡単で、かつ部品点数が増加することなく、雄端子を低入力で挿入できる雌端子の構造に関する。
【０００２】
【従来の技術】
従来、図６（Ａ）から（Ｃ）に示すように、雌端子１に雄端子（又はプリント基板のプリント配線の端末端子部）２を挿入して、両端子１，２を電気的に接続するものが提案されている（特公昭６２−９９８８号公報参照）。
【０００３】
上記雌端子１は、側面視で、直線状の上縁部１ｐを有する固定接点部１ａと、凸形状部１ｒを形成したバネ接点部１ｂとを備え、凸形状部１ｒには、斜めの斜状面１ｓ，１ｔと、斜状面１ｓ，１ｔが交わる下頂部１ｑとが形成されていて、上縁部１ｐと凸形状部１ｒの下頂部１ｑとの間に所定の初期バネクリアランスａを設定して、固定接点部１ａとバネ接点部１ｂとの間に、固定接点部１ａの長手方向Ａから雄端子２を挿入したときに、雄端子２の一面２ａが固定接点部１ａの上縁部１ｐに接触するとともに、バネ接点部１ｂがバネ力に抗して押し開かれながら雄端子２の他面２ｂが凸形状部１ｒの下頂部１ｑに接触するようになる。
【０００４】
そして、雄端子２がプリント基板のプリント配線の端末雄端子部である場合、プリント基板の厚みにはバラツキが有るから、上記初期バネクリアランスａを狭くしておかないと、所定の接触圧が得られないことがある。
【０００５】
また、図７（Ａ）から（Ｃ）に示すように、箱形の雌端子１に雄端子２を挿入するときも同様の問題がある。
【０００６】
【発明が解決しようとする課題】
しかしながら、上記初期バネクリアランスａを狭くすると、図６（Ｂ）のように、雄端子２の挿入直後に一度でバネ接点部１ｂを雄端子２の挿入後のバネクリアランスｃに押し開くとき、図６（Ｄ）のように、雄端子２の挿入力が一気にピークになるので、挿入作業が煩わしいという問題がある。
【０００７】
なお、挿入力を低減するために、レバーを利用するものやボルト締め力を利用するものが提案されているが、いずれも部品点数が増加したり、挿入作業が繁雑である。
【０００８】
本発明は、上記従来の問題を解決するためになされたもので、挿入作業が簡単で、かつ部品点数が増加することなく、雄端子を低挿入力で挿入できる雌端子の構造を提供することを目的とするものである。
【０００９】
【課題を解決するための手段】
上記課題を解決するために、本発明は、側面視で、直線状の上縁部１ｐを有する固定接点部１ａと、凸形状部１ｒを形成したバネ接点部１ｂとを備え、凸形状部１ｒには、斜めの斜状面１ｓ，１ｔと、斜状面１ｓ，１ｔが交わる下頂部１ｑとが形成されていて、上縁部１ｐと凸形状部１ｒの下頂部１ｑとの間に所定の初期バネクリアランスａを設定して、固定接点部１ａとバネ接点部１ｂとの間に、固定接点部１ａの長手方向Ａから雄端子２を挿入したときに、雄端子２の一面２ａが固定接点部１ａの上縁部１ｐに接触するとともに、バネ接点部１ｂがバネ力に抗して押し開かれながら雄端子２の他面２ｂが凸形状部１ｒの下頂部１ｑに接触するようになった雌端子１において、上記雌端子１は、上下方向Ｂに傾動可能に設けられる一方、固定接点部１ａの上縁部１ｐよりも挿入側の手前に、略Ｖ字形状の斜面１ｃ，１ｄを有する凹部１ｅを形成し、この凹部１ｅの挿入方向の手前の斜面１ｃとこれに対向する凸形状部１ｒの斜状面１ｓとの間、および凹部１ｅの挿入方向の奥の斜面１ｄとこれに対向する凸形状部１ｒの斜状面１ｔとの間が、初期バネクリアランスａと雄端子２の挿入後のバネクリアランスｃとの略中間程度のバネクリアランスｂに設定して、雄端子２の挿入直後に、雄端子２の他面２ｂで押し開き始められるバネ接点部１ｂの反力で、雄端子２の一面２ａに凹部１ｅの手前の斜面１ｃが接触するように、雌端子１全体が傾動し、さらに雄端子２の挿入で、雄端子２の先端２ｃが凹部１ｅの奥の斜面１ｄに当接して、雌端子１全体が元に傾動しながら、雄端子２の一面２ａが、凹部１ｅの奥の斜面１ｄよりも奥の固定接点部１ａの上縁部１ｐに接触し始め、つづく雄端子２の挿入で、雌端子１全体が完全に元に傾動されて、雄端子２の一面２ａが固定接点部１ａの上縁部１ｐに完全に接触するようにしたことを特徴とする雌端子の構造を提供するものである。
【００１０】
請求項２のように、雌端子をコネクタのハウジング内で傾動可能に保持して、固定接点部とバネ接点部は、雄端子の挿入方向に移動しないように支持すると共に、固定接点部は、可撓部を介して支持する構成とすることができる。
【００１１】
【発明の効果】
本発明によれば、雌端子１に雄端子２を挿入すると、挿入直後には、雄端子２の他面２ｂで押し開き始められるバネ接点部１ｂの反力で、雄端子２の一面２ａに凹部１ｅの手前の斜面１ｃが接触するように、雌端子１全体が傾動される。この挿入直後には、初期バネクリアランスａよりも広いバネクリアランスｂに雄端子２を真っ直ぐに挿入でき、かつ、挿入後のバネクリアランスｃとの略中間程度のバネクリアランスｄに押し開くだけであるから、挿入力が低くなる。さらに、雄端子２を挿入すると、雄端子２の先端２ｃが凹部１ｅの奥の斜面１ｄに当接して、雌端子１全体が元に傾動されながら、雄端子２の一面２ａが固定接点部１ａの上縁部１ｐに接触し始める。このときにも、バネクリアランスｄよりもやや広いバネクリアランスｅに押し開くだけであるから、挿入力が低くなる。つづいて、雄端子２を挿入すると、雌端子１全体が完全に元に傾動されて、雄端子２の一面２ａが固定接点部１ａの上縁部１ｐに完全に接触する。このときにも、バネクリアランスｅよりもやや広い挿入後のバネクリアランスｃに押し開くだけであるから、挿入力が低くなる。
【００１２】
これにより、雄端子の挿入力が数回に分割されることから、従来のように挿入力が一気にピークにならず、挿入力が平均化されて、雄端子を低挿入力で挿入できるようになる。
また、従来のようにレバーを利用したりボルト締め力を利用したりしないので、挿入作業が簡単になると共に、部品点数が増加することもない。
【００１３】
請求項２のように、雌端子をコネクタのハウジング内で傾動可能に保持して、固定接点部とバネ接点部は、雄端子の挿入方向に移動しないように支持すると共に、固定接点部は、可撓部を介して支持する構成とすれば、雌端子がコネクタのハウジング内で傾動でき、かつ、不必要に移動しないように保持及び支持できるようになる。
【００１４】
【発明の実施の態様】
以下、本発明の実施の形態を図面を参照して詳細に説明する。
【００１５】
なお、図６以下の従来技術と同一構成・作用の箇所は同一番号を付して詳細な説明は省略する。
【００１６】
図５（Ａ）に示す例は、基板３にねじ（図２参照）４で固定されたカートリッジコネクタ５Ａのハウジング５ａ内に雌端子１が収容され、この雌端子１にプリント基板６のプリント配線の端末の雄端子部２’を挿入して、両端子１，２’を電気的に接続するようにしている。
【００１７】
また、図５（Ｂ）に示す例は、ワイヤーハーネスＷ／Ｈを接続したコネクタ５Ｂのハウジング５ａ内に雌端子１が収容され、この雌端子１を電気接続箱７のプリント基板６のプリント配線の端末の雄端子部２’に挿入して、両端子１，２’を電気的に接続するようにしている。
【００１８】
図１及び図３（Ａ）は、打ち抜き雌端子１の基本形状であり、側面視で、直線状の上縁部１ｐを有する固定接点部１ａと、凸形状部１ｒを形成したバネ接点部１ｂとを備え、凸形状部１ｒには、斜めの斜状面１ｓ，１ｔと、斜状面１ｓ，１ｔが交わる下頂部１ｑとが形成されていて、図１（Ａ）のように、上縁部１ｐと凸形状部１ｒの下頂部１ｑとの間に所定の初期バネクリアランスａを設定して、図１（Ｄ）のように、固定接点部１ａとバネ接点部１ｂとの間に、固定接点部１ａの長手方向Ａから雄端子２（２´）を挿入したときに、雄端子２の一面２ａが固定接点部１ａの上縁部１ｐに接触するとともに、バネ接点部１ｂがバネ力に抗して押し開かれながら雄端子２の他面２ｂが凸形状部１ｒの下頂部１ｑに接触するようになる。なお、ここまでの形状の説明は、従来（図６参照）の雌端子１と同じである。
【００１９】
図１（Ａ）のように、上記雌端子１は、上下方向Ｂに傾動可能に設けられる一方、固定接点部１ａの上縁部１ｐよりも挿入側の手前に、略Ｖ字形状の斜面１ｃ，１ｄを有する凹部１ｅを形成する。この凹部１ｅの挿入方向の手前の斜面１ｃとこれに対向する凸形状部１ｒの斜状面１ｓとの間、および凹部１ｅの挿入方向の奥の斜面１ｄとこれに対向する凸形状部１ｒの斜状面１ｔとの間が、初期バネクリアランスａと雄端子２の挿入後のバネクリアランスｃとの略中間程度のバネクリアランスｂに設定されている（ａ＜ｂ＜ｃ）。
【００２０】
上記のように雌端子１を構成すれば、雄端子２の挿入前の雌端子１は、図１（Ａ）の状態に保持されている。
【００２１】
そして、雌端子１に雄端子２を挿入すると、挿入直後には、図１（Ｂ）のように、雄端子２の他面２ｂで押し開き始められるバネ接点部１ｂの反力で、雄端子２の一面２ａに凹部１ｅの手前の斜面１ｃが接触するように、雌端子１全体が傾動される。
【００２２】
この挿入直後には、初期バネクリアランスａよりも広いバネクリアランスｂに雄端子２を真っ直ぐに挿入でき、かつ、挿入後のバネクリアランスｃとの略中間程度のバネクリアランスｄに押し開くだけであるから、挿入力が低くなる。
【００２３】
さらに、雄端子２を挿入すると、図１（Ｃ）のように、雄端子２の先端２ｃが凹部１ｅの奥の斜面１ｄに当接して、雌端子１全体が元に傾動されながら、雄端子２の一面２ａが、凹部１ｅの奥の斜面１ｄよりも奥の固定接点部１ａの上縁部１ｐに接触し始める。このときにも、バネクリアランスｄよりもやや広いバネクリアランスｅに押し開くだけであるから、挿入力が低くなる。
【００２４】
つづいて、雄端子２を挿入すると、図１（Ｄ）のように、雌端子１全体が完全に元に傾動されて、雄端子２の一面２ａが固定接点部１ａの上縁部１ｐに完全に接触する。このときにも、バネクリアランスｅよりもやや広い挿入後のバネクリアランスｃに押し開くだけであるから、挿入力が低くなる。
【００２５】
上記のように、雄端子２の挿入力が数回に分割されることから、従来のように挿入力が一気にピークにならず、図３（Ｂ）のように、挿入力が平均化されて、雄端子２を低挿入力で挿入できるようになる。また、従来のようにレバーを利用したりボルト締め力を利用したりしないので、挿入作業が簡単になると共に、部品点数が増加することもない。
【００２６】
図２は、打ち抜き雌端子１をカートリッジコネクタ５Ａに収容するときの具体的な形状である。なお、上記コネクタ５Ｂに収容するときも同じである。
【００２７】
上記カートリッジコネクタ５Ａのハウジング５ａは、インナーハウジング５ｂとアウターハウジング５ｃとで構成されて、インナーハウジング５ｂをアウターハウジング５ｃに嵌入し、インナーハウジング５ｂのロック爪５ｄをアウターハウジング５ｃのロック穴５ｅに係止して、両ハウジング５ｂ，５ｃを一体的に組み立てる。
【００２８】
上記インナーハウジング５ｂには、雌端子１が傾動できる余裕を有するキャビティ５ｆが設けられ、このキャビティ５ｆに雌端子１が収容される。
【００２９】
上記雌端子１の固定接点部１ａの先端には、逆Ｕ字状に折り返した細幅の折り返し部１ｆを一体的に形成し、この折り返し部１ｆの中間部１ｇをインナーハウジング５ｂの圧入穴５ｇに圧入する。
【００３０】
上記折り返し部１ｆの後端部１ｈは基板３を挿入させて、基板３のプリント配線等に半田付けして固定する。
【００３１】
また、折り返し部１ｆの中間部１ｇと固定接点部１ａとの間は、波状に湾曲させてた可撓部１ｉに形成して、この可撓部１ｉで雌端子１全体を図２（Ｂ）の傾動状態から図２（Ａ）（Ｃ）の非傾動状態に戻るように付勢している。
【００３２】
上記可撓部１ｉと固定接点部１ａとの間のＵ字状部１ｊと、バネ接点部１ｂの先端のＵ字状部１ｋとは、インナーハウジング５ｂの先端部に係止されていて、雌端子１が雄端子２の挿入方向に移動しないように保持している。
【００３３】
上記のように雌端子１をコネクタ５Ａに収容すれば、雄端子２の挿入前の雌端子１は、図２（Ａ）の状態に保持されている。
【００３４】
そして、雌端子１に雄端子２を挿入すると、挿入直後には、図２（Ｂ）のように、雄端子２の他面２ｂで押し開き始められるバネ接点部１ｂの反力で、雄端子２の一面２ａに凹部１ｅの手前の斜面１ｃが接触するように、雌端子１全体がキャビティ５ｆ内で傾動される。
【００３５】
さらに、雄端子２を挿入すると、雄端子２の先端２ｃが凹部１ｅの奥の斜面１ｄに当接して、雌端子１全体が可撓部１ｆの付勢力で元に傾動されながら、雄端子２の一面２ａが固定接点部１ａの上縁部１ｐに接触し始める。
【００３６】
つづいて、雄端子２を挿入すると、図２（Ｃ）のように、雌端子１全体が完全に元に傾動されて、雄端子２の一面２ａが固定接点部１ａの上縁部１ｐに完全に接触する。
【００３７】
上記実施の形態では、打ち抜き雌端子１であったが、図４（Ａ）から（Ｃ）に示すように、箱形の雌端子１に雄端子２を挿入するときも同様の構成を採用することができる。
【図面の簡単な説明】
【図１】  本発明の打ち抜き雌端子であり、（Ａ）は雄端子の挿入前の側面図、（Ｂ）は挿入直後の側面図、（Ｃ）は挿入途中の側面図、（Ｄ）は挿入完了時の側面図である。
【図２】  打ち抜き雌端子を収容したカートリッジコネクタであり、（Ａ）は雄端子の挿入前の側面断面図、（Ｂ）は挿入直後の側面断面図、（Ｃ）は挿入完了時の側面断面図である。
【図３】  （Ａ）は打ち抜き雌端子の斜視図、（Ｂ）は本発明の雌端子の挿入力と挿入ストロークとの関係のグラフである。
【図４】  本発明の箱形雌端子であり、（Ａ）は雄端子の挿入前の側面図、（Ｂ）は挿入直後の側面図、（Ｃ）は挿入完了時の側面図である。
【図５】  （Ａ）は雌端子を収容したカートリッジコネクタとプリント基板の斜視図、（Ｂ）は雌端子を収容したコネクタと電気接続箱の斜視図である。
【図６】  従来の打ち抜き雌端子であり、（Ａ）は雄端子の挿入前の側面図、（Ｂ）は挿入直後の側面図、（Ｃ）は挿入完了時の側面図、（Ｄ）は雌端子の挿入力と挿入ストロークとの関係のグラフである。
【図７】  従来の箱形雌端子であり、（Ａ）は雄端子の挿入前の側面図、（Ｂ）は挿入直後の側面図、（Ｃ）は挿入完了時の側面図である。
【符号の説明】
１    雌端子
１ａ  固定接点部
１ｂ  バネ接点部
１ｃ，１ｄ  斜面
１ｉ  可撓部
１ｊ，１ｋ  Ｕ字状部
２’  雄端子
２ａ  一面
２ｂ  他面
５Ａ，５Ｂ  コネクタ
５ａ  ハウジング
６    プリント基板
【図１】
0004071311.tif 000002
【図２】
0004071311.tif 000003
【図３】
0004071311.tif 000004
【図４】
0004071311.tif 000005
【図５】
0004071311.tif 000006
【図６】
0004071311.tif 000007
【図７】
0004071311.tif 000008